【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
第１の近距離無線通信端末（２）と第２の近距離無線通信端末（３）とが所定の連携アプリケーションを起動して所定のプロトコルにおける通信を接続することで連携してサービスを提供する近距離無線通信システムにおいて、
前記第２の近距離無線通信端末（３）側に設けられ、前記第１の近距離無線通信端末（２）が当該第２の近距離無線通信端末（３）に登録されているアプリケーションに対する認証を行うのに必要な認証情報を記憶する認証情報記憶手段（２８）と、
前記第１の近距離無線通信端末（２）側に設けられ、前記認証情報記憶手段（２８）に記憶されている前記認証情報を取得する認証情報取得手段（１４）と、
前記第１の近距離無線通信端末（２）側に設けられ、前記所定の連携アプリケーションが前記第２近距離無線通信端末（３）にて起動される前に、前記認証情報取得手段（１４）により取得された前記認証情報としてＵＵＩＤを特定し、その特定したＵＵＩＤを参照して当該第２の近距離無線通信端末（３）に登録されているアプリケーションを特定する認証を行う制御手段（６）と、
前記第２の近距離無線通信端末（３）側に設けられ、連携アプリケーションを特定可能な連携アプリケーション情報を記憶する連携アプリケーション情報記憶手段（２８）と、
前記第１の近距離無線通信端末（２）側に設けられ、前記連携アプリケーション情報記憶手段（２８）に記憶されている前記連携アプリケーション情報を取得する連携アプリケーション情報取得手段（１４）と、を備え、
前記制御手段（６）は、前記認証を行った後に、前記連携アプリケーション情報取得手段（１４）により取得された前記連携アプリケーション情報により特定される前記連携アプリケーションを起動することを特徴とする近距離無線通信システム。
【請求項２】
請求項１に記載した近距離無線通信システムにおいて、
前記第１の近距離無線通信端末（２）は、ユーザが携帯可能な携帯通信端末であり、
前記第２の近距離無線通信端末（３）は、車両に搭載されている車両用機器であり、
車両側に設けられ、ユーザが乗車しようとしているか否かを判定する判定手段（６）を備え、
前記制御手段（６）は、ユーザが乗車しようとしていると前記判定手段（６）により判定された場合に、前記認証を行うことを特徴とする近距離無線通信システム。
【請求項３】
ユーザが携帯可能な携帯通信端末である第１の近距離無線通信端末（２）と車両に搭載されている車両用機器である第２の近距離無線通信端末（３）とが所定の連携アプリケーションを起動して所定のプロトコルにおける通信を接続することで連携してサービスを提供する近距離無線通信システムにおいて、
前記第２の近距離無線通信端末（３）側に設けられ、前記第１の近距離無線通信端末（２）が当該第２の近距離無線通信端末（３）に登録されているアプリケーションに対する認証を行うのに必要な認証情報を記憶する認証情報記憶手段（２８）と、
前記第１の近距離無線通信端末（２）側に設けられ、前記認証情報記憶手段（２８）に記憶されている前記認証情報を取得する認証情報取得手段（１４）と、
前記第１の近距離無線通信端末（２）側に設けられ、前記所定の連携アプリケーションが前記第２近距離無線通信端末（３）にて起動される前に、前記認証情報取得手段（１４）により取得された前記認証情報としてＵＵＩＤを特定し、その特定したＵＵＩＤを参照して当該第２の近距離無線通信端末（３）に登録されているアプリケーションを特定する認証を行う制御手段（６）と、
車両側に設けられ、ユーザが乗車しようとしているか否かを判定する判定手段（６）と、を備え、
前記制御手段（６）は、ユーザが乗車しようとしていると前記判定手段（６）により判定された場合に、前記認証を行うことを特徴とする近距離無線通信システム。
【請求項４】
請求項２又は３に記載した近距離無線通信システムにおいて、
前記車両側に設けられ、小電力無線通信を行う車両側小電力無線通信手段（２９）を備え、
前記携帯通信端末に設けられ、小電力無線通信を行う端末側小電力無線通信手段（１４）を備え、
前記判定手段（６）は、前記車両側小電力無線通信手段（２９）と前記端末側小電力無線通信手段（１４）とが両者の間で小電力無線通信を開始したと判定することで、ユーザが乗車しようとしていると判定することを特徴とする近距離無線通信システム。
【請求項５】
請求項４に記載した近距離無線通信システムにおいて、
前記車両側小電力無線通信手段（２９）は、車両のドアノブの近傍に設けられていることを特徴とする近距離無線通信システム。
【請求項６】
請求項１から５の何れか一項に記載した近距離無線通信システムにおいて、
前記制御手段（６）は、前記所定の連携アプリケーションが前記第２近距離無線通信端末（３）にて起動された後に、当該所定の連携アプリケーションが第１の近距離無線通信端末（２）にて起動されていない場合には、当該所定の連携アプリケーションを起動することを特徴とする近距離無線通信システム。
【請求項７】
請求項１から６の何れか一項に記載した近距離無線通信システムにおいて、
前記制御手段（６）は、前記所定のプロトコルの接続先を前記所定の連携アプリケーションに設定することで、当該所定のプロトコルにおける通信を接続することを特徴とする近距離無線通信システム。
【請求項８】
請求項１から６の何れか一項に記載した近距離無線通信システムにおいて、
前記制御手段（６）は、前記所定のプロトコルのセッションの接続先を前記所定の連携アプリケーションに設定することで、当該所定のプロトコルにおける通信を接続することを特徴とする近距離無線通信システム。
【請求項９】
所定の連携アプリケーションを起動して所定のプロトコルを別の近距離無線通信端末（３）との間で接続することで連携してサービスを提供する近距離無線通信端末において、
前記別の近距離無線通信端末（３）に登録されているアプリケーションに対する認証を行うのに必要な当該別の近距離無線通信端末（３）に記憶されている認証情報を取得する認証情報取得手段（１４）と、
前記所定の連携アプリケーションが前記別の近距離無線通信端末（３）にて起動される前に、前記認証情報取得手段（１４）により取得された前記認証情報としてＵＵＩＤを特定し、その特定したＵＵＩＤを参照して当該別の近距離無線通信端末（３）に登録されているアプリケーションを特定する認証を行う制御手段（６）と、
前記別の近距離無線通信端末（３）側に記憶されている連携アプリケーション情報を取得する連携アプリケーション情報取得手段（１４）と、を備え、
前記制御手段（６）は、前記認証を行った後に、前記連携アプリケーション情報取得手段（１４）により取得された前記連携アプリケーション情報により特定される前記連携アプリケーションを起動することを特徴とする近距離無線通信端末。
【請求項１０】
ユーザが携帯可能な携帯通信端末であり、所定の連携アプリケーションを起動して所定のプロトコルを車両に搭載されている車両用機器である別の近距離無線通信端末（３）との間で接続することで連携してサービスを提供する近距離無線通信端末において、
前記別の近距離無線通信端末（３）に登録されているアプリケーションに対する認証を行うのに必要な当該別の近距離無線通信端末（３）に記憶されている認証情報を取得する認証情報取得手段（１４）と、
前記所定の連携アプリケーションが前記別の近距離無線通信端末（３）にて起動される前に、前記認証情報取得手段（１４）により取得された前記認証情報としてＵＵＩＤを特定し、その特定したＵＵＩＤを参照して当該別の近距離無線通信端末（３）に登録されているアプリケーションを特定する認証を行う制御手段（６）と、を備え、
前記制御手段（６）は、ユーザが乗車しようとしていると車両側に設けられた前記判定手段（６）により判定された場合に、前記認証を行うことを特徴とする近距離無線通信端末。
【手続補正２】
【補正対象書類名】明細書
【補正対象項目名】０００６
【補正方法】変更
【補正の内容】
【０００６】
請求項１に記載した発明によれば、第２の近距離無線通信端末側において、認証情報記憶手段には、第１の近距離無線通信端末が当該第２の近距離無線通信端末に登録されているアプリケーションに対する認証を行うのに必要な認証情報が記憶されている。第１の近距離無線通信端末側において、制御手段は、所定の連携アプリケーションが第２近距離無線通信端末にて起動される前に、認証情報取得手段により取得された認証情報としてＵＵＩＤを特定し、その特定したＵＵＩＤに基づいて当該第２の近距離無線通信端末に登録されているアプリケーションを特定する認証を行う。
【手続補正３】
【補正対象書類名】明細書
【補正対象項目名】０００７
【補正方法】変更
【補正の内容】
【０００７】
このように所定の連携アプリケーションが第２の近距離無線通信端末にて起動される前に、第２の近距離無線通信端末に登録されているアプリケーションを特定する認証を行うようにした。これにより、所定の連携アプリケーションが第２の近距離無線通信端末にて起動された後では、第２の近距離無線通信端末に登録されているアプリケーションに対する認証を済ませているので、その認証を省くことができる。その結果、所定の連携アプリケーションが第２の近距離無線通信端末にて起動されてから当該所定の連携アプリケーションで使用する所定のプロトコルにおける通信を速やかに接続することができる。
【手続補正４】
【補正対象書類名】明細書
【補正対象項目名】０００８
【補正方法】変更
【補正の内容】
【０００８】
又、第２の近距離無線通信端末側において、連携アプリケーション情報記憶手段には、連携アプリケーションを示す連携アプリケーション情報が記憶されている。第１の近距離無線通信端末側において、制御手段は、連携アプリケーション情報が連携アプリケーション情報取得手段により取得されると、認証を行った後に、連携アプリケーション情報により特定される連携アプリケーションを起動する。